(57)【要約】【課題】  携帯電話機の電話帳情報について、ユーザに意識させることなく、常に最新の情報のバックアップを取ることを可能とする。【解決手段】  携帯電話機１０，２０が、電話番号又は電子メールアドレスに対応する登録名称と、登録名称を識別するメモリ番号を記憶する記憶部を備え、電話帳管理サーバ３０が、携帯電話機の識別コード，メモリ番号，登録名称，電話番号又は電子メールアドレスを記憶する記憶部を備え、携帯電話機が、電話帳情報の登録に際し、入力された電話帳情報における登録名称ごとにメモリ番号を割り振り、登録名称とメモリ番号を当該携帯電話機における記憶部に記憶させて電話帳情報を電話帳管理サーバに送信し、電話帳管理サーバが、受信した電話帳情報に携帯電話機の識別コードを付加して当該電話帳管理サーバにおける記憶部に記憶させる電話帳保存システム。【選択図】  図１
2005311552.tif 000002
【特許請求の範囲】
【請求項１】
携帯電話機と、前記携帯電話機の電話帳情報を通信回線を介して管理する電話帳管理サーバを有する電話帳保存システムであって、
前記携帯電話機が、電話番号又は電子メールアドレスに対応する登録名称と、前記登録名称を識別するメモリ番号を記憶する記憶部を備えるとともに、
前記電話帳管理サーバが、前記携帯電話機の識別コード，前記メモリ番号，前記登録名称，前記電話番号又は前記電子メールアドレスを記憶する記憶部を備え、
前記携帯電話機が、電話帳情報の登録に際し、入力された電話帳情報における登録名称ごとに前記メモリ番号を割り振り、前記登録名称と前記メモリ番号を当該携帯電話機における前記記憶部に記憶させるとともに、前記電話帳情報を前記電話帳管理サーバに送信し、
前記電話帳管理サーバが、受信した前記電話帳情報に、前記携帯電話機の識別コードを付加して、前記電話帳情報を当該電話帳管理サーバにおける前記記憶部に記憶させる
ことを特徴とする電話帳保存システム。
【請求項２】
前記電話帳保存システムが、通信回線を介して前記電話帳管理サーバと接続されたコンピュータを有し、
前記コンピュータが、入力された所定の携帯電話機の電話帳情報を前記電話帳管理サーバに送信し、
前記電話帳管理サーバが、受信した電話帳情報を一時保存して、前記電話帳情報における登録名称を前記携帯電話機に送信し、
前記携帯電話機が、受信した登録名称を識別するメモリ番号を割り振り、前記登録名称と前記メモリ番号を当該携帯電話機における前記記憶部に記憶させ、かつ、前記メモリ番号を前記電話帳管理サーバに送信し、
前記電話帳管理サーバが、受信した前記メモリ番号と、前記携帯電話機の識別コードを前記電話帳情報に付加して、この電話帳情報を当該電話帳管理サーバにおける前記記憶部に記憶させる
ことを特徴とする請求項１記載の電話帳保存システム。
【請求項３】
前記電話帳保存システムが、通信回線を介して前記電話帳管理サーバと接続されたコンピュータを有し、
前記コンピュータが、入力された所定の携帯電話機の電話帳情報を前記電話帳管理サーバに送信し、
前記電話帳管理サーバが、受信した電話帳情報における登録名称ごとに前記メモリ番号を割り振るとともに、前記携帯電話機の識別コードを前記電話帳情報に付加して、この電話帳情報を当該電話帳管理サーバにおける前記記憶部に記憶させ、かつ、前記登録名称と前記メモリ番号を前記携帯電話機に送信し、
前記携帯電話機が、受信した前記登録名称と前記メモリ番号を当該携帯電話機における前記記憶部に記憶させる
ことを特徴とする請求項１又は２記載の電話帳保存システム。
【請求項４】
前記携帯電話機が、電話帳情報の表示に際し、入力された登録名称に対応する前記メモリ番号を当該携帯電話機における前記記憶部から抽出して、前記電話帳管理サーバに送信し、
前記電話帳管理サーバが、受信した前記メモリ番号に対応する前記電話帳情報を当該電話帳管理サーバにおける前記記憶部から抽出して、前記携帯電話機に送信する
ことを特徴とする請求項１〜３のいずれかに記載の電話帳保存システム。
【請求項５】
前記携帯電話機が、電話帳情報の更新に際し、入力された登録名称に対応する前記メモリ番号を当該携帯電話機における前記記憶部から抽出し、
電話帳情報を表示する場合、前記メモリ番号を前記電話帳管理サーバに送信し、前記電話帳管理サーバが、受信した前記メモリ番号に対応する前記電話帳情報を当該電話帳管理サーバにおける前記記憶部から抽出して、前記携帯電話機に送信し、
前記携帯電話機が、入力された変更後の電話帳情報を前記メモリ番号とともに前記電話帳管理サーバに送信し、前記電話帳管理サーバが、前記メモリ番号にもとづき当該電話帳管理サーバにおける前記記憶部に記憶された変更前の電話帳情報を特定し、この変更前の電話帳情報を変更後の電話帳情報に更新する
ことを特徴とする請求項１〜４のいずれかに記載の電話帳保存システム。
【請求項６】
前記携帯電話機が、電話の発信又は電子メールの送信に際し、入力された登録名称に対応する前記メモリ番号を当該携帯電話機における前記記憶部から抽出して、前記電話帳管理サーバに送信し、前記電話帳管理サーバから前記メモリ番号に対応する電話番号又は電子メールアドレスを受信して、前記電話番号への発信又は前記電子メールアドレスへの送信を行う
ことを特徴とする請求項１〜５のいずれかに記載の電話帳保存システム。
【請求項７】
前記電話帳保存システムが、前記携帯電話機と前記電話帳管理サーバを接続する通信回線上に交換機を備え、
前記携帯電話機が、電話の発信に際し、入力された登録名称に対応する前記メモリ番号を当該携帯電話機における前記記憶部から抽出し、交換機にダイヤルして回線を確保するとともに、前記メモリ番号を前記交換機に送信し、
前記交換機が、前記メモリ番号を前記電話帳管理サーバに送信して前記電話帳管理サーバから前記メモリ番号に対応する電話番号を受信し、前記回線を当該電話番号の電話機に転送する
ことを特徴とする請求項１〜６のいずれかに記載の電話帳保存システム。
【請求項８】
前記電話帳保存システムが、前記携帯電話機と前記電話帳管理サーバを接続する通信回線上に交換機を備え、
前記交換機が、前記携帯電話機宛の電話の着信を感知すると、当該着信についての発信先番号と発信元番号を前記電話帳管理サーバに送信し、
前記電話帳管理サーバが、前記発信先番号の携帯電話機の電話帳情報として、前記発信元番号が当該電話帳管理サーバにおける記憶部に記憶されているかどうかを検索し、この検索の結果と、前記発信元番号が記憶されている場合は、前記発信元番号に対応するメモリ番号を前記交換機に送信し、
前記検索の結果、前記発信元番号が記憶されている場合、前記交換機は、受信した前記メモリ番号を前記携帯電話機に送信し、前記携帯電話機は、受信した前記メモリ番号にもとづき対応する登録名称を当該携帯電話機における前記記憶部から抽出して表示し、
前記検索の結果、前記発信元番号が記憶されていない場合、前記交換機は、前記発信元番号を前記携帯電話機に送信し、前記携帯電話機が前記発信元番号を表示する
ことを特徴とする請求項１〜７のいずれかに記載の電話帳保存システム。
【請求項９】
前記電話帳保存システムが、前記携帯電話機と前記電話帳管理サーバを接続する通信回線上に交換機を備え、
前記交換機が、前記携帯電話機宛の電子メールの着信を感知すると、当該着信についての発信先のアドレスと発信元のアドレスを前記電話帳管理サーバに送信し、
前記電話帳管理サーバが、前記発信先のアドレスの携帯電話機の電話帳情報として、前記発信元のアドレスが当該電話帳管理サーバにおける記憶部に記憶されているかどうかを検索し、この検索の結果と、前記発信元のアドレスが記憶されている場合は、前記発信元のアドレスに対応するメモリ番号を前記交換機に送信し、
前記検索の結果、前記発信元のアドレスが記憶されている場合、前記交換機は、受信した前記メモリ番号を前記携帯電話機に送信し、前記携帯電話機は、受信した前記メモリ番号にもとづき対応する登録名称を当該携帯電話機における前記記憶部から抽出して表示し、
前記検索の結果、前記発信元のアドレスが記憶されていない場合、前記交換機は、前記発信元のアドレスを前記携帯電話機に送信し、前記携帯電話機が前記発信元のアドレスを表示する
ことを特徴とする請求項１〜８のいずれかに記載の電話帳保存システム。
【請求項１０】
前記携帯電話機が、使用頻度の高い電話番号又は電子メールアドレスを前記メモリ番号に対応付けて記憶する記憶部を備えた
ことを特徴とする請求項１〜９のいずれかに記載の電話帳保存システム。
【請求項１１】
電話番号又は電子メールアドレスに対応する登録名称と、前記登録名称を識別するメモリ番号を記憶する記憶部を備えた携帯電話機と、前記携帯電話機の識別コード，前記メモリ番号，前記登録名称，前記電話番号又は前記電子メールアドレスを記憶する記憶部を備えた電話帳管理サーバとを用いて、前記携帯電話機の電話帳情報を通信回線を介して管理する電話帳保存方法であって、
電話帳情報の登録に際し、
前記携帯電話機が、入力された電話帳情報における登録名称ごとに前記メモリ番号を割り振り、前記登録名称と前記メモリ番号を当該携帯電話機における前記記憶部に記憶させるとともに、前記電話帳情報を前記電話帳管理サーバに送信し、
前記電話帳管理サーバが、受信した前記電話帳情報を当該電話帳管理サーバにおける前記記憶部に記憶させる
ことを特徴とする電話帳保存方法。
【請求項１２】
電話番号又は電子メールアドレスに対応する登録名称と、前記登録名称を識別するメモリ番号を記憶する記憶部を備えた携帯電話機の電話帳情報を、前記携帯電話機の識別コード，前記メモリ番号，前記登録名称，前記電話番号又は前記電子メールアドレスを記憶する記憶部を備えた電話帳管理サーバに、通信回線を介して管理させる電話帳保存プログラムであって、
電話帳情報の登録に際し、
前記携帯電話機に、入力された電話帳情報における登録名称ごとに前記メモリ番号を割り振らせ、前記登録名称と前記メモリ番号を当該携帯電話機における前記記憶部に記憶させるとともに、前記電話帳情報を前記電話帳管理サーバに送信させ、
前記電話帳管理サーバに、受信した前記電話帳情報を当該電話帳管理サーバにおける前記記憶部に記憶させる
ことを実行させるための電話帳保存プログラム。
【発明の詳細な説明】
【技術分野】
【０００１】
本発明は、携帯電話機の電話帳情報について、ユーザに意識させることなく、常に最新の情報のバックアップを取ることを可能とする電話帳保存システムに関し、特に、携帯電話機に電話帳情報を保存するに際し、通信回線を介して電話帳管理サーバに名前・電話番号・メールアドレス等の電話帳情報を格納し、携帯電話機に内蔵されるメモリには名前等の登録名称だけを保存する電話帳保存システム、電話帳保存方法、及び電話帳保存プログラムに関する。
【背景技術】
【０００２】
従来、携帯電話機の電話帳の管理は、一般に携帯電話機に備えられたメモリに格納することにより行われている。また、近年の携帯電話機の普及に伴って、携帯電話機は手帳などとしても利用されるようになっており、携帯電話機の電話帳としての機能は、益々重要となってきている。一方、このような状況において、携帯電話機を紛失したり、破損した場合、登録データが全て失われてしまうことになり、その影響は深刻である。このため、携帯電話機における登録データの確実で便利なバックアップ方法が求められている。
このような要請に対して、携帯電話機をパーソナルコンピュータと専用のケーブルで接続し、携帯電話機の電話帳情報をパーソナルコンピュータに保存する方法が実用化されている。また、メモリカードを接続可能な携帯電話機においては、このメモリカードに電話帳情報を記憶させることで、そのバックアップを取る方法なども行われている。
【０００３】
また、通信回線を介して、携帯電話機の電話帳情報をサーバに登録することによりバックアップを行う方法なども提案されている。
例えば、特許文献１に記載の情報管理方法によれば、携帯電話機のメモリ機能や電話帳等に登録されている電話番号、氏名、住所等の情報をサーバのデータベースに格納することができるようになっている。
また、特許文献２に記載の電話帳自動バックアップシステムによれば、携帯電話機にＪＡＶＡ（登録商標）アプリケーションを保有させ、このＪＡＶＡ（登録商標）アプリケーションにより一定の期間ごとに自動的に、電話帳情報をサーバに保存することが可能となっている。
さらに、特許文献３に記載の電話番号管理システムによれば、携帯電話機の発信可能な電話番号をＷｅｂサーバ側で管理し、携帯電話機は、このＷｅｂサーバにアクセスして、宛先の電話番号を取得し、発呼することができるようになっている。
【０００４】
【特許文献１】特開２００１−３０６５１８号公報
【特許文献２】特開２００２−１３２７１７号公報
【特許文献３】特開２００２−０１６６９４号公報
【発明の開示】
【発明が解決しようとする課題】
【０００５】
しかしながら、ケーブルを使用する場合は、電気信号が携帯電話機を通ることから、データが紛失する危険性が増大するという問題があった。また、メモリカードを使用する場合は、携帯電話機本体と同様に、紛失や破損の危険性が高いという問題があった。さらに、いずれの場合も、ユーザが定期的にバックアップを行う必要があるため、携帯電話機に登録された後、バックアップがまだ行われていないデータについては、保護できないという問題があった。
【０００６】
また、特許文献１に記載の情報管理方法は、携帯電話機とサーバの両方で電話帳を管理し、ユーザがインターネット経由でサーバと接続して、電話帳情報のバックアップを行うものである。このため、ユーザがデータのバックアップを怠った場合、携帯電話機とサーバで記憶されているデータに差異が生じる。したがって、携帯電話機が損傷や盗難に遭った場合、この差異分に相当するデータのバックアップを保証することができないという問題があった。一方、ユーザは、バックアップを行うために、携帯電話機からサーバに接続する必要があるため煩雑であり、新たな登録データが発生するたびにバックアップをとることは、事実上困難であるという問題があった。また、携帯電話機において電話帳の管理を行うため、携帯電話機におけるメモリの割り当てをこれに割く必要があるという問題もあった。
【０００７】
さらに、特許文献２に記載の電話帳自動バックアップシステムは、ＪＡＶＡ（登録商標）アプリケーションに対応可能な携帯電話機でなければ使用することができないという問題があった。また、特許文献１の場合と同様に、携帯電話機とサーバの両方で電話帳を管理し、所定期間ごとにバックアップを行うものであるため、携帯電話機とサーバの間で登録データに差異が生じる場合があるという問題もあった。さらに、携帯電話機において、ＪＡＶＡ（登録商標）アプリケーションを常時起動させる必要があるという問題もあった。
【０００８】
また、特許文献３に記載の電話番号管理システムでは、発呼にあたり、ユーザは、まずＷｅｂサーバにログインし、Ｗｅｂ画面上で宛先の名前等を検索して、この検索結果にもとづき再度Ｗｅｂサーバにアクセスし、宛先の電話番号を取得して発呼するようになっている。このため、発呼するまでにサーバと何度かやり取りをする必要があり、発呼を行うまでに比較的時間がかかるという問題があった。また、ユーザが宛先の名前等を忘れた場合は、サーバから全登録名称を携帯電話機にダウンロードしなければならないという問題もあった。その上、この特許文献３記載の技術は、予めＷｅｂサーバ側に登録した電話番号にもとづき発呼することで発信規制を行うシステムに関するものであり、携帯電話機からの登録データのバックアップを可能とするものではなかった。
【０００９】
本発明は、上記の事情にかんがみなされたものであり、携帯電話機に電話帳を保存する際、電話帳管理サーバに名前，電話番号，電子メールアドレス等の電話帳情報を格納し、携帯電話機に内蔵されるメモリに名前等の登録名称等だけを保存することで、ユーザによるバックアップを不要とし、携帯電話機におけるメモリの使用量を節約可能な電話帳保存システム、電話帳保存方法、及び電話帳保存プログラムの提供を目的とする。
【課題を解決するための手段】
【００１０】
上記目的を達成するため、本発明の電話帳保存システムは、携帯電話機と、携帯電話機の電話帳情報を通信回線を介して管理する電話帳管理サーバを有する電話帳保存システムであって、携帯電話機が、電話番号又は電子メールアドレスに対応する登録名称と、登録名称を識別するメモリ番号を記憶する記憶部を備えるとともに、電話帳管理サーバが、携帯電話機の識別コード，メモリ番号，登録名称，電話番号又は電子メールアドレスを記憶する記憶部を備え、携帯電話機が、電話帳情報の登録に際し、入力された電話帳情報における登録名称ごとにメモリ番号を割り振り、登録名称とメモリ番号を当該携帯電話機における記憶部に記憶させるとともに、電話帳情報を電話帳管理サーバに送信し、電話帳管理サーバが、受信した電話帳情報に、携帯電話機の識別コードを付加して、電話帳情報を当該電話帳管理サーバにおける記憶部に記憶させる構成としてある。
【００１１】
電話帳保存システムをこのような構成にすれば、携帯電話機の電話帳のバックアップを自動的に行うことが可能となる。
本発明の電話帳保存システムでは、電話番号や電子メールアドレス等の電話帳情報を電話帳管理サーバに記憶させ、携帯電話機には電話帳情報のうち登録名称とその識別情報であるメモリ番号のみを記憶させる。
すなわち、ユーザが、電話帳情報を携帯電話機に登録するたびに、通信回線を介して電話帳管理サーバへのアクセスが行われ、電話帳管理サーバ内の電話帳情報が更新される。
このため、電話帳情報は常に電話帳管理サーバ内にバックアップされていることになり、携帯電話機の故障等による電話帳情報の紛失を排除することが可能となる。
【００１２】
また、本発明の電話帳保存システムによれば、従来の一定期間おきにバックアップを取るシステムに比べ、確実に電話帳情報の紛失を防ぐことが可能となる。
その上、ユーザにとっては、特に意識することなくバックアップが行われることとなり、そのためにＪＡＶＡ（登録商標）アプリケーションなどの特別なソフトウェアを操作する必要もない。
【００１３】
また、携帯電話機には、電話帳情報のうち、登録名称とメモリ番号しか保存しないため、携帯電話機のメモリを節約することができる。このため、節約したメモリ領域を、例えばダウンロードしたファイルを格納するためなど、他の用途に活用することが可能となる。
さらに、このようにメモリを節約できることから、登録できる電話帳の件数を増加させることも可能となる。また、電話帳管理サーバ上で電話帳情報を管理できることから、電話帳情報の登録件数に応じた課金システムを導入することも可能である。
【００１４】
また、携帯電話機などの通信キャリアを変更する場合に、電話帳情報を新しい携帯電話機に移行する必要がない。すなわち、電話帳情報を電話帳管理サーバにより管理しているため、新しい携帯電話機に電話帳管理サーバから登録名称とメモリ番号をダウンロードするだけで、登録済みの電話帳情報を使用することができ、全ての電話帳情報を手で入力し直す手間を省略することが可能となる。ユーザが海外で新たな携帯電話機を購入する場合や、携帯電話機をレンタルする場合などにおいても、同様にして登録済みの電話帳情報を利用することが可能である。
【００１５】
さらに、このように電話帳管理サーバにおいて電話帳情報を管理することにより、複数の携帯電話機の電話帳情報を効率よく登録・参照・修正等することができる。例えば、個人ユーザは、パーソナルコンピュータから電話帳管理サーバにアクセスして、電話帳情報の登録・参照・修正等を行うことができ、さらにインターネットを経由して世界のどこからでもこれらを行うことが可能となる。また、法人ユーザは、各社員の電話帳情報を一括して修正することができる。このため、人事異動の時期に、社員各自による修正の手間を排除することが可能となる。
【００１６】
また、携帯電話機からの電話帳情報へのアクセスは、バックグラウンドで行うことができるため、携帯電話機を操作するユーザ側では、電話帳管理サーバを意識する必要はなく、電話帳情報の登録・参照・修正や電話の発着信等については、従来と同様に行うことできる。
なお、「入力された登録名称」とは、選択入力された登録名称や手入力された登録名称を含むものとして用いている。
【００１７】
また、本発明の電話帳保存システムは、電話帳保存システムが、通信回線を介して電話帳管理サーバと接続されたコンピュータを有し、コンピュータが、入力された所定の携帯電話機の電話帳情報を電話帳管理サーバに送信し、電話帳管理サーバが、受信した電話帳情報を一時保存して、電話帳情報における登録名称を携帯電話機に送信し、携帯電話機が、受信した登録名称を識別するメモリ番号を割り振り、登録名称とメモリ番号を当該携帯電話機における記憶部に記憶させ、かつ、メモリ番号を電話帳管理サーバに送信し、電話帳管理サーバが、受信したメモリ番号と、携帯電話機の識別コードを電話帳情報に付加して、この電話帳情報を当該電話帳管理サーバにおける記憶部に記憶させる構成としてある。
【００１８】
また、本発明の電話帳保存システムは、電話帳保存システムが、通信回線を介して電話帳管理サーバと接続されたコンピュータを有し、コンピュータが、入力された所定の携帯電話機の電話帳情報を電話帳管理サーバに送信し、電話帳管理サーバが、受信した電話帳情報における登録名称ごとにメモリ番号を割り振るとともに、携帯電話機の識別コードを電話帳情報に付加して、この電話帳情報を当該電話帳管理サーバにおける記憶部に記憶させ、かつ、登録名称とメモリ番号を携帯電話機に送信し、携帯電話機が、受信した登録名称とメモリ番号を当該携帯電話機における記憶部に記憶させる構成としてある。
【００１９】
電話帳保存システムをこれらのような構成にすれば、ユーザは、パーソナルコンピュータから電話帳管理サーバに対して電話帳情報の新規登録を行うことが可能となる。
また、その電話帳情報を使用する携帯型電話機のメモリに、その電話帳情報の登録名称とメモリ番号を自動的に記憶させることが可能となる。
【００２０】
なお、これらの構成において、「携帯電話機の識別コードを付加」する方法としては、特に限定されないが、例えば電話帳管理サーバに携帯電話機の電場番号と識別コードの対応テーブルを保有させ、電話帳情報の入力に際して、携帯電話機の電話番号の入力を受け、この電場番号にもとづき携帯電話機の識別コードを特定して付加するようにすることなどが可能である。
【００２１】
また、本発明の電話帳保存システムは、携帯電話機が、電話帳情報の表示に際し、入力された登録名称に対応するメモリ番号を当該携帯電話機における記憶部から抽出して、電話帳管理サーバに送信し、電話帳管理サーバが、受信したメモリ番号に対応する電話帳情報を当該電話帳管理サーバにおける記憶部から抽出して、携帯電話機に送信する構成としてある。
電話帳保存システムをこのような構成にすれば、ユーザは、携帯電話機から登録名称を選択入力することなどにより、電話帳情報を容易に参照することが可能となる。
【００２２】
また、本発明の電話帳保存システムは、携帯電話機が、電話帳情報の更新に際し、入力された登録名称に対応するメモリ番号を当該携帯電話機における記憶部から抽出し、電話帳情報を表示する場合、メモリ番号を電話帳管理サーバに送信し、電話帳管理サーバが、受信したメモリ番号に対応する電話帳情報を当該電話帳管理サーバにおける記憶部から抽出して、携帯電話機に送信し、携帯電話機が、入力された変更後の電話帳情報をメモリ番号とともに電話帳管理サーバに送信し、電話帳管理サーバが、メモリ番号にもとづき当該電話帳管理サーバにおける記憶部に記憶された変更前の電話帳情報を特定し、この変更前の電話帳情報を変更後の電話帳情報に更新する構成としてある。
【００２３】
電話帳保存システムをこのような構成にすれば、ユーザは、電話帳情報の変更を行うにあたり、携帯電話機から登録名称を選択入力することなどにより、容易に変更対象の電話帳情報を参照することができ、入力された変更後の電話帳情報を電話帳管理サーバに対して更新することが可能となる。
【００２４】
また、本発明の電話帳保存システムは、携帯電話機が、電話の発信又は電子メールの送信に際し、入力された登録名称に対応するメモリ番号を当該携帯電話機における記憶部から抽出して、電話帳管理サーバに送信し、電話帳管理サーバからメモリ番号に対応する電話番号又は電子メールアドレスを受信して、電話番号への発信又は電子メールアドレスへの送信を行う構成としてある。
【００２５】
また、本発明の電話帳保存システムは、電話帳保存システムが、携帯電話機と電話帳管理サーバを接続する通信回線上に交換機を備え、携帯電話機が、電話の発信に際し、入力された登録名称に対応するメモリ番号を当該携帯電話機における記憶部から抽出し、交換機にダイヤルして回線を確保するとともに、メモリ番号を交換機に送信し、交換機が、メモリ番号を電話帳管理サーバに送信して電話帳管理サーバからメモリ番号に対応する電話番号を受信し、回線を当該電話番号の電話機に転送する構成としてある。
【００２６】
電話帳保存システムをこれらのような構成にすれば、携帯電話機に備えたメモリに電話帳情報を保有させなくとも、電話やメール送信を行うにあたり、登録名称を選択入力等することで、容易にこれらを行うことが可能となる。
また、いずれの方法でも、ユーザに電話帳管理サーバへのアクセスを特別に意識させることなく、電話やメール送信を行わせることが可能であり、ユーザにとっては、携帯電話機のメモリ上に電話帳情報を記憶させているのと同様の感覚で利用することが可能である。
【００２７】
また、本発明の電話帳保存システムは、電話帳保存システムが、携帯電話機と電話帳管理サーバを接続する通信回線上に交換機を備え、交換機が、携帯電話機宛の電話の着信を感知すると、当該着信についての発信先番号と発信元番号を電話帳管理サーバに送信し、電話帳管理サーバが、発信先番号の携帯電話機の電話帳情報として、発信元番号が当該電話帳管理サーバにおける記憶部に記憶されているかどうかを検索し、この検索の結果と、発信元番号が記憶されている場合は、発信元番号に対応するメモリ番号を交換機に送信し、検索の結果、発信元番号が記憶されている場合、交換機は、受信したメモリ番号を携帯電話機に送信し、携帯電話機は、受信したメモリ番号にもとづき対応する登録名称を当該携帯電話機における記憶部から抽出して表示し、検索の結果、発信元番号が記憶されていない場合、交換機は、発信元番号を携帯電話機に送信し、携帯電話機が発信元番号を表示する構成としてある。
【００２８】
また、本発明の電話帳保存システムは、電話帳保存システムが、携帯電話機と電話帳管理サーバを接続する通信回線上に交換機を備え、交換機が、携帯電話機宛の電子メールの着信を感知すると、当該着信についての発信先のアドレスと発信元のアドレスを電話帳管理サーバに送信し、電話帳管理サーバが、発信先のアドレスの携帯電話機の電話帳情報として、発信元のアドレスが当該電話帳管理サーバにおける記憶部に記憶されているかどうかを検索し、この検索の結果と、発信元のアドレスが記憶されている場合は、発信元のアドレスに対応するメモリ番号を交換機に送信し、検索の結果、発信元のアドレスが記憶されている場合、交換機は、受信したメモリ番号を携帯電話機に送信し、携帯電話機は、受信したメモリ番号にもとづき対応する登録名称を当該携帯電話機における記憶部から抽出して表示し、検索の結果、発信元のアドレスが記憶されていない場合、交換機は、発信元のアドレスを携帯電話機に送信し、携帯電話機が発信元のアドレスを表示する構成としてある。
【００２９】
電話帳保存システムをこれらのような構成にすれば、携帯電話機が電話や電子メールの着信を受けるにあたり、その送信元側の電話番号又は電子メールアドレスがその携帯電話機についての電話帳情報として電話帳管理サーバに登録されている場合は、これに対応する登録名称を携帯電話機に表示して着信アラームを鳴らすことが可能となる。
また、送信元側の電話番号又は電子メールアドレスがその携帯電話機についての電話帳情報として電話帳管理サーバに登録されていない場合は、その電話番号又は電子メールアドレスをそのまま携帯電話機に表示させるとともに、これを新たな電話帳情報として電話帳管理サーバに登録させることも可能である。
【００３０】
なお、発信先番号とは、所謂発信番号を意味し、電話をかける相手先の電話番号を意味する。発信元番号とは、所謂着信番号を意味し、電話をかける側の電話番号を意味する。同様に、発信先のアドレスとは、メールを送信する相手先の電子メールアドレスを意味し、発信元のアドレスとは、メールを送信する側の電子メールアドレスを意味する。
【００３１】
また、本発明の電話帳保存システムは、携帯電話機が、使用頻度の高い電話番号又は電子メールアドレスをメモリ番号に対応付けて記憶する記憶部を備えた構成としてある。
電話帳保存システムをこのような構成にすれば、携帯電話機のメモリに、頻繁に使用する電話番号や電子メールアドレスを登録するための領域を割り当てることができる。
これによって、これらの電話番号等については、電話の発信や電子メールの送信に際して、電話帳管理サーバへのアクセスを省略することができ、その発信や送信時間を短縮することが可能となる。
【００３２】
また、本発明の電話帳保存方法は、電話番号又は電子メールアドレスに対応する登録名称と、登録名称を識別するメモリ番号を記憶する記憶部を備えた携帯電話機と、携帯電話機の識別コード，メモリ番号，登録名称，電話番号又は電子メールアドレスを記憶する記憶部を備えた電話帳管理サーバとを用いて、携帯電話機の電話帳情報を通信回線を介して管理する電話帳保存方法であって、電話帳情報の登録に際し、携帯電話機が、入力された電話帳情報における登録名称ごとにメモリ番号を割り振り、登録名称とメモリ番号を当該携帯電話機における記憶部に記憶させるとともに、電話帳情報を電話帳管理サーバに送信し、電話帳管理サーバが、受信した電話帳情報を当該電話帳管理サーバにおける記憶部に記憶させる方法としてある。
【００３３】
電話帳保存方法をこのような方法にすれば、携帯電話機に電話帳を登録する際、電話帳管理サーバに登録名称，電話番号，電子メールアドレス等の電話帳情報を格納し、携帯電話機に内蔵されるメモリに登録名称等だけを保存することができる。
このため、常に最新の電話帳情報のバックアップを電話帳管理サーバに保有させることが可能となる。
【００３４】
また、本発明の電話帳保存プログラムは、電話番号又は電子メールアドレスに対応する登録名称と、登録名称を識別するメモリ番号を記憶する記憶部を備えた携帯電話機の電話帳情報を、携帯電話機の識別コード，メモリ番号，登録名称，電話番号又は電子メールアドレスを記憶する記憶部を備えた電話帳管理サーバに、通信回線を介して管理させる電話帳保存プログラムであって、電話帳情報の登録に際し、携帯電話機に、入力された電話帳情報における登録名称ごとにメモリ番号を割り振らせ、登録名称とメモリ番号を当該携帯電話機における記憶部に記憶させるとともに、電話帳情報を電話帳管理サーバに送信させ、電話帳管理サーバに、受信した電話帳情報を当該電話帳管理サーバにおける記憶部に記憶させる構成としてある。
【００３５】
電話帳保存プログラムをこのような構成にすれば、携帯電話機への電話帳の登録に際し、電話帳管理サーバに登録名称，電話番号，電子メールアドレス等の電話帳情報を記憶させ、携帯電話機に登録名称等だけを記憶させることができる。
このため、電話帳管理サーバに常に最新の電話帳情報のバックアップを保有させることが可能となる。
【発明の効果】
【００３６】
本発明によれば、携帯電話機の電話帳情報のうち、登録名称とメモリ番号のみを携帯電話機に記憶させ、電話番号や電子メールアドレス等の電話帳情報を、携帯電話機に通信回線を介して接続された電話帳管理サーバに記憶させることができる。
すなわち、本発明によれば、最新の電話帳情報が常に電話帳管理サーバに保有されるため、ユーザ自身による電話帳情報のバックアップを不要とすることができ、携帯電話機の故障等による電話帳情報の紛失を防止することが可能となる。
また、携帯電話機には、電話帳情報のうち、登録名称とメモリ番号しか保存しないため、携帯電話機のメモリを節約することができ、登録可能な電話帳情報の件数を増加させることが可能となる。
【００３７】
さらに、常に最新の電話帳情報が電話帳管理サーバに保存されることから、携帯電話機を新たなものに変更した場合などでも、新たな携帯電話機に電話帳管理サーバから電話帳情報における登録名称とメモリ番号をダウンロードするだけで、もとの携帯電話機の場合と同様に、その電話帳情報を利用することが可能となる。
また、電話帳管理サーバにおいて電話帳情報を一括管理するため、複数の携帯電話機の電話帳情報を効率よく修正等することも可能であり、パーソナルコンピュータなどから電話帳情報を修正等し、必要に応じて携帯電話機におけるメモリに記憶された登録名称等を更新することも可能である。
【００３８】
さらに、本発明の電話帳保存システムによれば、ユーザは、登録名称を選択入力等するだけで、電話の発信等を行うことができ、電話帳情報が電話帳管理サーバで管理されていることを特別に意識する必要はない。
すなわち、本発明の電話帳保存システムによれば、ユーザは、携帯電話機のメモリにおいて電話帳情報が管理されている場合と同様の操作を行うことで、電話帳管理サーバの電話帳情報を使用することが可能となる。
【発明を実施するための最良の形態】
【００３９】
以下、本発明に係る電話帳保存システムの好ましい実施形態について、図面を参照しつつ説明する。
なお、以下の実施形態に示す本発明の電話帳保存システムは、プログラムに制御されたコンピュータにより動作するようになっている。コンピュータのＣＰＵは、プログラムにもとづいてコンピュータの各構成要素に指令を送り、電話帳管理サーバ等の動作に必要となる所定の処理、例えば、携帯電話機の識別処理、電話帳情報の保存処理、登録情報の検索処理、登録情報の送信処理等を行わせる。このように、本発明の電話帳保存システムにおける各処理，動作は、プログラムとコンピュータとが協働した具体的手段により実現できるものである。
【００４０】
プログラムは予めＲＯＭ，ＲＡＭ等の記録媒体に格納され、コンピュータに実装された記録媒体から当該コンピュータにプログラムを読み込ませて実行されるが、例えば通信回線を介してコンピュータに読み込ませることもできる。
また、プログラムを格納する記録媒体は、例えば半導体メモリ，磁気ディスク，光ディスク、その他任意のコンピュータで読取り可能な任意の記録手段により構成できる。
【００４１】
［第一実施形態］
まず、本発明の第一実施形態の構成について、図１〜図６を参照して説明する。図１は、本実施形態の電話帳保存システムの構成を示すブロック図である。図２は、同システムにおける携帯電話機の構成を示すブロック図であり、図３は、この携帯電話機のメモリのデータ構成を示すブロック図である。図４は、同システムにおける電話帳管理サーバの構成を示すブロック図であり、図５及び図６は、それぞれこの電話帳管理サーバのメモリのデータ構成（１），データ構成（２）を示すブロック図である。
【００４２】
図１に示すように、本実施形態の電話帳保存システムは、携帯電話機１０，携帯電話機２０，電話帳管理サーバ３０，交換機４０，メールサーバ５０，基地局６０，基地局７０，パーソナルコンピュータ８０，専用回線９１・９２，インターネット１００を有している。
携帯電話機１０は、図２に示すように、メモリ１１，処理部１２，入力部１３，送受信部１４，表示部１５，音声入力部１６，音声出力部１７を有している。
【００４３】
メモリ１１は、携帯電話機１０に内蔵される記憶装置であり、電話帳に登録される名前などの登録名称と、登録データの識別情報であるメモリ番号を格納する。図３は、このメモリ１１に格納されるデータの例を示す図である。同図の例では、登録名称は、ユーザの名称＋「携帯電話番号」等としてある。これらの登録名称は、携帯電話機の表示部１５に表示させることができ、また、この登録名称を入力部１３から選択入力し、この登録名称にもとづきメモリ１１を検索して、メモリ番号を取得し、後述のように発呼等を行うようにすることができる。
【００４４】
メモリ番号は、登録名称ごとに自動的に割り振られる番号であり、登録名称を識別するものである。その割り振り方法については、特に限定されるものではないが、図３に示すように、例えばユーザの名称など、登録名称のグループごとに割り振り、メモリ番号にもとづき登録名称をグループごとにディレクトリ構造で表示させるようにすることができる。なお、割り振り方法の詳細については、本発明と直接関係しないため、その説明を省略する。
【００４５】
処理部１２は、携帯電話機１０における各種装置の制御やデータ処理を行う装置である。
入力部１３は、電話番号や文字入力等を行うための入力ボタンや、移動ボタン等の装置である。
送受信部１４は、音声やデータの送受信を行うためのアンテナ等の装置である。
表示部１５は、液晶ディスプレイなどの出力装置である。
音声入力部１６は、音声を入力するためのマイクなどの装置である。
音声出力部１７は、音声を出力するためのスピーカなどの装置である。
【００４６】
携帯電話機２０は、携帯電話機１０と同様の構成を有するものとすることができ、内蔵されたメモリ２１も携帯電話機１０におけるメモリ１１と同様のものとすることができる。なお、図１においては、携帯電話機を２台示しているが、本発明の電話帳保存システムにおいて、携帯電話機をより多数備えた構成とすることは勿論可能である。また、交換機，メールサーバ，基地局，パーソナルコンピュータ等をより多数備えた構成とすることも可能である。
【００４７】
電話帳管理サーバ３０は、各携帯電話機の電話帳を管理する情報処理装置であり、例えばワークステーションやサーバ、パーソナルコンピュータ等を用いることができる。
この電話帳管理サーバ３０は、図４に示すようにメモリ３１，処理部３２，送受信部３３を有している。
【００４８】
メモリ３１は、電話帳管理サーバ３０における記憶装置である。図５及び図６は、このメモリ３１に格納されるデータの例を示すものである。
これらの図において、メモリ番号には、その先頭に各携帯電話機の識別コードが付加されており、これにより各携帯電話機により割り振られたメモリ番号が重なる場合でも、それぞれのメモリ番号に対応する電話番号等を一意に特定することが可能となっている。図５の例では、携帯電話機１０の識別コードとして、「★★★」が、メモリ番号の先頭に付加されている。
【００４９】
また、図５の例は、電話帳情報を、メモリ３１の空き領域に順次記憶させる方式を示すものである。すなわち、同図において、登録データは、携帯電話機ごとに格納されず、登録を受け付けた順番で格納されている。この方式によれば、メモリ容量を効率的に利用できるという効果を得ることができる。
また、図６の例は、メモリ３１において携帯電話機ごとにデータの格納領域を設け、管理する方式を示すものである。すなわち、同図において、登録データは、携帯電話機ごとに格納されている。この方式によれば、登録データの検索時間を短縮することができるとともに、電話帳情報の管理をより簡略化することができる。
【００５０】
処理部３２は、電話帳管理サーバにおける各種装置の制御やデータ処理を行う装置である。
送受信部３３は、専用回線９１，９２、又はインターネット１００を通じてデータの送受信を行う装置である。
【００５１】
交換機４０は、基地局６０，７０を接続する交換機である。図示しないが、勿論より多くの基地局を接続することもできる。また、交換機４０は、メールサーバ５０を接続するとともに、専用回線９１を介して電話帳管理サーバ３０を接続している。さらに、インターネット１００を介して、電話帳管理サーバ３０，パーソナルコンピュータ８０を接続している。
メールサーバ５０は、送受信メールを格納し、メールの送受信を仲介する情報処理装置である。
【００５２】
基地局６０，７０は、それぞれ携帯電話機１０，２０による通信を中継する基地局を表わしている。
パーソナルコンピュータ８０は、インターネット１００を介して電話帳管理サーバ３０に接続し、電話帳管理サーバ３０において管理される電話帳のデータの追加や修正等を行う情報処理装置である。
専用回線９１は、交換機４０と電話帳管理サーバ３０を接続する専用の通信回線であり、専用回線９２は、電話帳管理サーバ３０とメールサーバ５０を接続する専用の通信回線である。
【００５３】
次に、本実施形態の電話帳保存システムにおける各種手順について、図７〜図２４を参照して説明する。図７は、本実施形態の電話帳保存システムにおける新規登録の手順を示すフローチャートであり、図８は、携帯電話機による新規登録の処理手順を示すフローチャート、図９は、パーソナルコンピュータによる新規登録の処理手順（１）を示すフローチャート、図１０は、パーソナルコンピュータによる新規登録の処理手順（２）を示すフローチャートである。図１１は、本実施形態の電話帳保存システムにおける電話帳内容の参照の手順を示すフローチャートであり、図１２は、この電話帳内容の参照処理手順を示すフローチャートである。図１３は、本実施形態の電話帳保存システムにおける電話帳内容の変更の手順を示すフローチャートであり、図１４は、この電話帳内容の変更処理手順を示すフローチャートである。図１５は、本実施形態の電話帳保存システムにおける発信の手順（１）を示すフローチャートであり、図１６は、この発信処理手順（１）を示すフローチャートである。図１７は、本実施形態の電話帳保存システムにおける発信の手順（２）を示すフローチャートであり、図１８は、この発信処理手順（２）を示すフローチャートである。図１９は、本実施形態の電話帳保存システムにおける電子メールの送信手順を示すフローチャートであり、図２０は、この電子メールの送信処理手順を示すフローチャートである。図２１は、本実施形態の電話帳保存システムにおける着信の手順を示すフローチャートであり、図２２は、この着信処理手順を示すフローチャートである。図２３は、本実施形態の電話帳保存システムにおける電子メールの着信手順を示すフローチャートであり、図２４は、この電子メールの着信処理手順を示すフローチャートである。
【００５４】
（１）電話帳情報の新規登録
まず、図７を参照して電話帳情報の新規登録の手順について説明する。
ユーザが、登録名称，電話番号，Ｅ−ｍａｉｌ（電子メール）アドレスなどの電話帳情報を、携帯電話機１０に入力し（ステップＡ１）、登録ボタンを押下すると（ステップＡ２）、携帯電話機１０は、登録データごとにメモリ番号を割り振り（ステップＡ３）、このメモリ番号を名前等の登録名称と一対一に対応付けてメモリ１１に格納する。
【００５５】
次に、携帯電話機１０は、電話帳情報とメモリ番号をパケットとして即座に電話帳管理サーバ３０に送信する（ステップＡ４）。
電話帳管理サーバ３０は、携帯電話機１０より発信されたパケットを受信すると、パケットのヘッダ情報にもとづいて携帯電話機１０を特定し（ステップＡ５）、メモリ番号の先頭に携帯電話機１０の識別コードを追加して、メモリ３１に格納して登録する（ステップＡ６）。
【００５６】
また、パーソナルコンピュータ８０により、インターネット１００を介して電話帳管理サーバ３０にアクセスし、電話帳情報を新規登録可能とすることもできる。
この際、電話帳情報を使用する携帯型電話機を特定する必要があるが、その特定方法については、特に限定されない。例えば、例えば電話帳管理サーバに携帯電話機の電場番号と識別コードの対応テーブルを保有させ、電話帳情報の入力に際して、携帯電話機の電話番号の入力を受け、この電場番号にもとづき携帯電話機の識別コードを特定するようにすることができる。
【００５７】
また、ユーザごとにユーザＩＤ及びパスワードを発行し、電話帳管理サーバ３０において、このユーザＩＤ及びパスワードと携帯電話機の電話番号や識別コードとの対応付け情報をテーブルなどにより保有させておくことによることもできる。この場合、電話帳管理サーバ３０は、パーソナルコンピュータ８０からのアクセスに対して、このユーザＩＤ及びパスワードの送信を要求し、これにもとづきユーザ認証を行うとともに、その携帯電話機を特定するようにすることができる。
そして、電話帳管理サーバ３０は、パーソナルコンピュータ８０から新規追加の電話帳情報を受信して保存すると、即座に登録名称を携帯電話機１０に送信し、携帯電話機１０は、この登録名称をメモリ１１に格納する。
【００５８】
ここで、パーソナルコンピュータ８０から電話帳情報の新規登録を行う場合のメモリ番号の登録については、電話帳管理サーバ３０における電話帳情報の格納方式により以下のような二通りの方法が考えられる。
まず、図５に示すように、電話帳情報が、メモリ３１の空き領域に順次記憶される方式である場合は、電話帳管理サーバ３０において各携帯電話機ごとの空きメモリ番号を検索することは困難である。このため、電話帳管理サーバ３０は、パーソナルコンピュータ８０から新規追加の電話帳情報を受信すると、これを一時メモリに保存して、登録名称を携帯電話機１０に送信する。
携帯電話機１０が、登録名称を受信すると、この登録名称に対応するメモリ番号を割り振り、登録名称とともにメモリ１１の空き領域に登録して、このメモリ番号を電話帳管理サーバ３０に送信する。そして、電話帳管理サーバ３０は、受信したメモリ番号に携帯電話機１０の識別コードを付加し、対応する電話帳情報とともに、メモリ３１に登録する。
【００５９】
また、図６に示すように、電話帳情報が、メモリ３１において携帯電話機ごとに格納される方式である場合は、各携帯電話機ごとの空きメモリ番号を検索することは容易である。このため、電話帳管理サーバ３０において、携帯電話機１０の空きメモリ番号を検索し、メモリ番号の割り振りを行うことができ、このメモリ番号を登録名称と併せて携帯電話機１０に送信することができる。携帯電話機１０は、受信したメモリ番号と登録名称をメモリ１１に格納して登録する。
【００６０】
したがって、この方式によれば、図５の方式の場合に必要であった、携帯電話機１０においてメモリ番号を割り振った後、これを再び携帯電話機１０から電話帳管理サーバ３０に送信する動作を、省略することが可能となる。
この場合も、電話帳管理サーバ３０は、割り振ったメモリ番号に携帯電話機１０の識別コードを付加し、対応する電話帳情報とともに、メモリ３１に登録する。
【００６１】
以上のような手順により、パーソナルコンピュータ８０から電話帳管理サーバ３０に、電話帳情報の新規登録を行っても、携帯電話機１０は、常に最新の登録名称等の情報を保有することが可能となる。
【００６２】
次に、図８を参照して携帯電話機からの電話帳情報の新規登録処理手順について説明する。
まず、携帯電話機１０は、電話帳情報を入力する（ステップ１０）。
そして、登録ボタンが押下されると、携帯電話機１０は、この電話帳情報にその登録名称ごとにメモリ番号を割り振り（ステップ１１）、電話帳情報における登録名称とメモリ番号をメモリ１１に格納して登録する（ステップ１２）。
次に、携帯電話機１０は、メモリ番号を備えた電話帳情報をパケットとして電話帳管理サーバ３０に送信する（ステップ１３）。
電話帳管理サーバ３０は、パケットを受信すると、このパケットのヘッダ情報にもとづき携帯電話機を特定し（ステップ１４）、その携帯電話機の識別コードをメモリ番号に付加して、電話帳情報をメモリ３１に登録する（ステップ１５）。
【００６３】
次に、図９を参照してパーソナルコンピュータからの電話帳情報の新規登録処理手順（１）について説明する。本処理手順は、電話帳情報が、電話帳管理サーバ３０のメモリ３１の空き領域に順次記憶される方式を採用する場合のものである。
まず、パーソナルコンピュータ８０は、電話帳情報を入力して（ステップ２０）、これを電話帳管理サーバ３０に送信する（ステップ２１）。
電話帳管理サーバ３０は、受信した電話帳情報を一時メモリに記憶し（ステップ２２）、電話帳情報における登録名称を携帯電話機１０に送信する（ステップ２３）。
【００６４】
このとき、携帯電話機１０の電話番号の特定方法については、特に限定されるものではないが、例えば上述したようにパーソナルコンピュータ８０における電話帳情報の入力にあたり、携帯電話機１０の電話番号も併せて入力し、これを電話帳管理サーバ３０に送信する方法とすることができる。また、ユーザ認証にもとづき携帯電話機１０の電話番号を特定するようにすることもできる。
【００６５】
次に、携帯電話機１０は、受信した登録名称に対して空きメモリ番号を割り振り（ステップ２４）、この登録名称とメモリ番号をメモリ１１に格納する（ステップ２５）。
そして、このメモリ番号を電話帳管理サーバ３０に送信する（ステップ２６）。電話帳管理サーバ３０は、受信したメモリ番号に携帯電話機１０の識別コードを追加し（ステップ２７）、電話帳情報をメモリ３１に格納して登録する（ステップ２８）。
【００６６】
なお、ステップ２３〜ステップ２６において、データの送受信を行うにあたり、上記記載以外の識別情報を付加することができることはいうまでもない。例えば、データを特定するために、ステップ２３において、電話帳管理サーバ３０は、登録名称とともに、これを特定する識別情報を携帯電話機１０に送信し、ステップ２６において、携帯電話機１０は、メモリ番号とともに、この識別情報を合わせて電話帳管理サーバ３０に送信することが可能である。
また、電話帳情報として、複数の情報をまとめて登録することも可能である。
これらについては、以下の処理手順においても同様である。
【００６７】
次に、図１０を参照してパーソナルコンピュータからの電話帳情報の新規登録処理手順（２）について説明する。本処理手順は、電話帳情報が、メモリ３１において携帯電話機ごとに格納される方式を採用する場合のものである。
まず、パーソナルコンピュータ８０が、電話帳情報を入力して、これを電話帳管理サーバ３０に送信するまでの動作（ステップ３０〜ステップ３１）は、図９に示す方式における動作（ステップ１０〜ステップ１１）と同様である。
【００６８】
次に、電話帳管理サーバ３０は、受信した電話帳情報について、メモリ番号の割り振りを行う（ステップ３２）。また、電話帳管理サーバ３０は、携帯電話機１０を特定し、その識別コードをメモリ番号に付加して（ステップ３３）、電話帳情報をメモリ３１に格納して登録する（ステップ３４）。
さらに、電話帳管理サーバ３０は、登録名称及びこれに対応するメモリ番号を、携帯電話機１０に送信する（ステップ３５）。
そして、携帯電話機１０は、受信した登録名称及びメモリ番号をメモリ１１に格納して登録する（ステップ３６）。
【００６９】
（２）電話帳情報の参照
次に、ユーザによる電話帳情報の参照手順について図１１を用いて説明する。
ユーザが、携帯電話機１０の画面上で、電話番号やＥ−ｍａｉｌアドレスを確認する場合、ユーザは、その登録名称を検索し、検索した登録名称を選択する（ステップＢ１）。携帯電話機１０は、選択された登録名称に対応するメモリ番号を電話帳管理サーバ３０に送信する（ステップＢ２）。電話帳管理サーバ３０は、受信したメモリ番号と携帯電話機１０の識別コードにもとづきメモリ３１を検索し、対応する電話帳情報を取得する（ステップＢ３）。そして、この電話帳情報を、携帯電話機１０に送信する（ステップＢ４）。
これによって、携帯電話機１０は、ユーザが確認を希望する電話番号やＥ−ｍａｉｌアドレス等を表示することができる。
【００７０】
また、ユーザが、パーソナルコンピュータ８０を用いて、インターネット１００を介して電話帳管理サーバ３０にアクセスし、電話帳情報を参照することもできる。この場合、携帯電話機１０に関わる手順は、発生しない。
【００７１】
次に、図１２を参照して携帯電話機からの電話帳情報の参照処理手順について説明する。
まず、携帯電話機１０は、登録名称を入力する（ステップ４０）。この登録名称の入力は、種々の方法を用いることができ、例えば携帯電話機１０は、メモリ１１に格納されている登録名称を一覧表示して、ユーザによる選択入力を受けることができる。また、登録名称の一部の入力情報にもとづきメモリ１１を検索し、ヒットした登録名称を表示するとともに、その中からユーザによる選択入力を受けることができる。勿論、ユーザによる手入力とすることもできる。このような登録名称の入力については、以下の処理手順においても同様である。
【００７２】
携帯電話機１０は、入力された登録名称に対応するメモリ番号を、メモリ１１から抽出して電話帳管理サーバ３０に送信する（ステップ４１）。
電話帳管理サーバ３０は、受信したメモリ番号と、携帯電話機１０の識別コードにもとづいて、メモリ３１を検索し、これらに対応する電話帳情報を抽出して（ステップ４２）、携帯電話機１０に送信する（ステップ４３）。
【００７３】
（３）電話帳情報の更新
次に、ユーザによる電話帳情報の更新手順について図１３を参照して説明する。
ユーザが、電話帳情報を更新する場合、携帯電話機１０を操作して、その登録名称を検索し、これを特定する（ステップＣ１）。次に、携帯電話機１０は、その画面上に、登録されている電話帳情報を参照するか否かについての問い合わせを表示し、回答入力を待つ（ステップＣ２）。
参照する必要があるとの回答入力があった場合（ステップＣ２のＹｅｓ）、携帯電話機１０は、（２）において上述した電話帳情報の参照手順で電話帳管理サーバ３０から電話帳情報を取得して画面に表示する（ステップＣ３，Ｃ４）。これによって、ユーザは、表示された電話帳情報を修正することで、新たな電話帳情報を入力することが可能となる（ステップＣ５）。
【００７４】
参照する必要がないとの回答入力があった場合（ステップＣ２のＮｏ）、携帯電話機１０は、更新の対象とする電話帳情報を画面上に表示せず、ユーザにより、変更後の電話帳情報を入力する（ステップＣ５）。
また、いずれの場合も、携帯電話機１０は、メモリ番号については、元のままの番号を使用する。そして、携帯電話機１０は、この変更後の電話帳情報を電話帳管理サーバ３０に送信し（ステップＣ６）、電話帳管理サーバ３０は、メモリ番号にもとづいて、対応する電話帳情報を検索し、これを受信した変更後の電話帳情報に更新する（ステップＣ７）。
【００７５】
また、ユーザが、パーソナルコンピュータ８０を用いて、インターネット１００を介して電話帳管理サーバ３０にアクセスし、電話帳情報を更新可能とすることもできる。この場合、更新内容により、必要となる手順が相違する。
まず、更新内容が、電話番号又はＥ−ｍａｉｌアドレスなど、登録名称以外のデータである場合、電話帳管理サーバ３０がパーソナルコンピュータ８０から変更後の電話帳情報を受信してメモリ３１の登録内容を更新する。この場合、携帯電話機１０に関わる手順は、発生しない。
【００７６】
一方、更新内容が、登録名称である場合は、携帯電話機１０における登録名称も更新する必要がある。このため、電話帳管理サーバ３０は、変更後の電話帳情報における登録名称とメモリ番号を携帯電話機１０に送信する。携帯電話機１０は、受信したメモリ番号にもとづきメモリ１１を検索し、対応する登録名称を変更後の登録名称に更新する。
いずれの場合も、メモリ番号については、元のものを使用する。また、ユーザの設定により、電話帳管理サーバ３０から携帯電話機１０に対して、電話帳情報を更新したことを示す確認メールを送信可能とするようにすることもできる。
【００７７】
次に、図１４を参照して携帯電話機からの電話帳情報の更新処理手順について説明する。
まず、携帯電話機１０は、登録名称を入力する（ステップ５０）。
次に、携帯電話機１０は、その画面上に、登録されている電話帳情報を参照するか否かについての問い合わせを表示して、回答入力を待つ（ステップ５１）。
【００７８】
参照するとの回答に対して（ステップ５１のＹｅｓ）、携帯電話機１０は、登録名称に対応するメモリ番号をメモリ１１から抽出して電話帳管理サーバ３０に送信し（ステップ５２）、電話帳管理サーバ３０は、このメモリ番号に対応する電話帳情報をメモリ３１に対して検索し（ステップ５３）、抽出した電話帳情報を携帯電話機１０に送信する（ステップ５４）。携帯電話機１０は、受信した電話帳情報を表示する（ステップ５５）。
参照しないとの回答に対して（ステップ５１のＮｏ）、携帯電話機１０は、電話帳管理サーバ３０に登録してある電話帳情報を表示することなく、電話帳情報の入力画面を表示する。
【００７９】
次に、携帯電話機１０は、ユーザの操作により、変更後の電話帳情報を入力する（ステップ５６）。電話帳情報を表示した場合は、その内容を修正することで、変更後の電話帳情報を入力することができる。
そして、携帯電話機１０は、変更後の電話帳情報を電話帳管理サーバ３０に送信し（ステップ５７）、電話帳管理サーバ３０は、メモリ番号にもとづき電話帳管理サーバ３０におけるメモリ３１に記憶された変更前の電話帳情報を特定し、この変更前の電話帳情報を変更後の電話帳情報に更新する（ステップ５８）。
【００８０】
（４）電話の発信
次に、電話の発信手順について説明する。その手順として、以下の二種類の方式を挙げることができる。図１５は、交換機により予め回線を確保しない方式についての手順を説明する図であり、図１７は、交換機により予め回線を確保する方式についての手順を説明する図である。
【００８１】
（i）交換機により予め回線を確保しない方式
携帯電話機１０のユーザが、携帯電話機２０のユーザと通話する場合、携帯電話機１０の画面上にて携帯電話機２０についての登録名称を検索・選択し、発信する（ステップＤ１）。次に、携帯電話機１０は、交換機４０を介して、電話帳管理サーバ３０に対して携帯電話機２０の電話番号を照会して取得する（ステップＤ２）。そして、携帯電話機１０は、携帯電話機２０の電話番号を取得すると、これを一時メモリに保存し（ステップＤ３）、交換機４０を介してダイヤルする（ステップＤ４）。
【００８２】
次に、電話の発信処理手順について、図１６を参照して説明する。
まず、携帯電話機１０は、登録名称を入力する（ステップ８０）。
そして、携帯電話機１０は、この登録名称に対応する電話番号を照会するため、登録名称に対応するメモリ番号を抽出して電話帳管理サーバ３０に送信する（ステップ８１）。
電話帳管理サーバ３０は、受信したメモリ番号にもとづいて、メモリ３１を検索し、対応する電話帳情報を抽出する（ステップ８２）。そして、抽出した電話帳情報における電話番号を携帯電話機１０に送信する（ステップ８３）。
携帯電話機１０は、受信した電話番号を一時メモリに保存して（ステップ８４）、交換機４０を介してダイヤルする（ステップ８５）。
【００８３】
（ii）交換機により予め回線を確保する方式
まず、図１６におけるステップＤ１と同様に、ユーザが電話をかける相手の登録名称を検索して選択し、発信する（ステップＥ１）。
携帯電話機１０は、発信ボタンが押下されたことを感知すると、まず交換機４０（あるいは、これに準じる設備。以下同様。）にダイヤルし、交換機４０との回線を確保する（ステップＥ２）。次に、携帯電話機１０は、この回線を経て電話帳管理サーバ３０に対して、登録名称に対応する宛先の電話番号を照会する。電話帳管理サーバ３０は、照会された電話番号を交換機４０に送信する（ステップＥ３）。交換機４０は、受信した電話番号にもとづいて、確保している回線を相手先の携帯電話機２０に転送する（ステップＥ４）。
【００８４】
次に、電話の発信処理手順について、図１８を参照して説明する。
まず、携帯電話機１０は、登録名称を入力し（ステップ９０）、交換機４０に
ダイヤルする（ステップ９１）。これに対して、交換機４０は、携帯電話機１０との回線を確保する（ステップ９２）。
携帯電話機１０は、入力した登録名称に対応するメモリ番号をメモリ１１から抽出し、交換機４０を介して電話帳管理サーバ３０に送信する（ステップ９３，９４）。
電話帳管理サーバ３０は、受信したメモリ番号に対応する電話帳情報をメモリ３１に対して検索し（ステップ９５）、抽出した電話帳情報を交換機４０に送信する（ステップ９６）。
交換機４０は、確保している回線を受信した電話番号の携帯電話機２０に転送する（ステップ９７）。
【００８５】
以上説明した（i）（ii）のいずれの方式でも、ユーザは、電話帳管理サーバ３０との送受信に関する操作を行うことなく、宛先にダイヤルすることができる。また、宛先が固定電話の場合は、関門交換機を経る点以外については、携帯電話機に対する発信の場合と同様の手順とすることができる。
【００８６】
（５）Ｅ−ｍａｉｌの送信
次に、Ｅ−ｍａｉｌの送信手順について図１９を参照して説明する。
携帯電話機１０から携帯電話機２０に対してＥ−ｍａｉｌを送信するにあたっては、携帯電話機１０から送信する各パケットに宛先のアドレスを付ける必要がある。
このため、ユーザにより登録名称の検索・選択が行われ、送信ボタンが押下されると（ステップＦ１）、携帯電話機１０は、交換機４０を介して、電話帳管理サーバ３０に対し、携帯電話機２０のＥ−ｍａｉｌアドレスを照会して取得する（ステップＦ２）。そして、携帯電話機１０は、このＥ−ｍａｉｌアドレスを付加してパケットを作成し（ステップＦ３）、これを交換機４０を介して宛先に送信する（ステップＦ４）。
【００８７】
次に、Ｅ−ｍａｉｌの送信処理手順について、図２０を参照して説明する。
まず、携帯電話機１０は、登録名称を入力する（ステップ１００）。
そして、携帯電話機１０は、この登録名称に対応するＥ−ｍａｉｌアドレスを照会するため、登録名称に対応するメモリ番号をメモリ１１から抽出して電話帳管理サーバ３０に送信する（ステップ１０１）。
電話帳管理サーバ３０は、受信したメモリ番号にもとづいて、メモリ３１を検索し、対応する電話帳情報を抽出する（ステップ１０２）。そして、抽出した電話帳情報におけるＥ−ｍａｉｌアドレスを携帯電話機１０に送信する（ステップ１０３）。
携帯電話機１０は、受信したＥ−ｍａｉｌアドレスを付加してパケットを作成し（ステップ１０４）、これを交換機４０を介して宛先に送信する（ステップ１０５）。
【００８８】
（６）電話の着信
次に、電話の着信手順について図２１を参照して説明する。
まず、交換機４０は、携帯電話機１０宛の着信を感知すると、発信元の電話番号（着信番号）と携帯電話機１０の電話番号を電話帳管理サーバ３０に送信する（ステップＧ１）。電話帳管理サーバ３０は、着信番号が携帯電話機１０の電話帳情報として、登録済みの電話番号であるかどうかを検索して確認する（ステップＧ２）。
【００８９】
着信番号が登録済みである場合（ステップＧ２のＹｅｓ）、電話帳管理サーバ３０は、その着信番号に対応するメモリ番号を交換機４０に送信する（ステップＧ３）。交換機４０は、携帯電話機１０に対して着呼の呼び出しを行い、携帯電話機１０に着信番号に対応するメモリ番号を送信する。携帯電話機１０は、メモリ番号にもとづき着信番号に対応する登録名称を検索し、表示部１５に表示して、着信アラームを鳴らす（ステップＧ４）。そして、通話が行われる（ステップＧ５）。
【００９０】
着信番号が未登録である場合（ステップＧ２のＮｏ）、携帯電話機１０は、交換機４０から受信した着信番号をそのまま表示部１５に表示して、着信アラームを鳴らす（ステップＧ６）。そして、通話（ステップＧ７）の後、携帯電話機１０は、着信番号を登録するかどうかについての問い合わせを表示して、回答入力を待つ（ステップＧ８）。登録する場合は（ステップＧ８のＹｅｓ）、（１）において上述した電話帳情報の新規登録手順にしたがって登録を行い（ステップＧ９）、登録しない場合は（ステップＧ８のＮｏ）、終了する。
【００９１】
次に、電話の着信処理手順について、図２２を参照して説明する。
まず、交換機４０が、携帯電話機１０宛の電話の着信を感知すると（ステップ１１０）、発信元の電話番号（着信番号）が、携帯電話機１０の電話帳情報として登録されているかどうかを確認するための問い合わせ情報を、電話帳管理サーバ３０に送信する（ステップ１１１）。この問い合わせ情報は、着信番号と発信番号（携帯電話機１０の電話番号）を有している。電話帳管理サーバ３０は、携帯電話機１０の電話番号にもとづいて、携帯電話機１０の電話帳情報を特定する。このため、電話帳管理サーバ３０において、携帯電話機１０の電話番号と識別コードの対応テーブルなどを保有させておくことが好ましい。
【００９２】
電話帳管理サーバ３０は、受信した問い合わせ情報にもとづいて、メモリ３１を検索し、携帯電話機１０の電話帳情報に着信番号が登録されているかどうかを確認する（ステップ１１２）。そして、この検索結果と、登録されている場合には、着信番号に対応するメモリ番号を交換機４０に送信する（ステップ１１３）。
【００９３】
着信番号が登録されている場合（ステップ１１４の有）、交換機４０は、携帯電話機１０に着呼の呼び出しを行うとともに、着信番号に対応するメモリ番号を携帯電話機１０に送信する（ステップ１１５）。携帯電話機１０は、受信したメモリ番号にもとづきメモリ１１を検索して対応する登録名称を抽出し（ステップ１１６）、これを表示部１５に出力するとともに、着信アラームを音声出力部１７に出力する（ステップ１１７）。そして、通話ボタンが押下されると、携帯電話機１０は、通話処理を実行する（ステップ１１８）。
【００９４】
着信番号が登録されていない場合（ステップ１１４の無）、交換機４０は、着信番号を携帯電話機１０に送信し（ステップ１１９）、携帯電話機１０は、着信番号を携帯電話機１０の表示部１５に出力するとともに、着信アラームを音声出力部１７に出力する（ステップ１２０）。そして、通話ボタンが押下されると、携帯電話機１０は、通話処理を実行する（ステップ１２１）。
通話終了後、携帯電話機１０は、この着信番号を電話帳情報として登録するかどうかの問い合わせを表示し、回答入力を待つ（ステップ１２２）。そして、登録するとの回答入力があると（ステップ１２３のＹｅｓ）、携帯電話機１０は、図８に示すステップ１０〜ステップ１５と同様にして、電話帳情報の新規登録処理を実行する（ステップ１２４）。登録しないとの回答入力があると（ステップ１２３のＮｏ）、携帯電話機１０は、処理を終了する。
【００９５】
（７）Ｅ−ｍａｉｌの着信
次に、Ｅ−ｍａｉｌの着信手順について図２３を参照して説明する。
交換機４０は、携帯電話機１０宛のＥ−ｍａｉｌを受信すると、一旦そのすべてのパケットを、メールサーバ５０に転送する（ステップＨ１）。
メールサーバ５０は、携帯電話機１０宛のＥ−ｍａｉｌのパケットの受信を完了すると、電話帳管理サーバ３０に対し、受信したＥ−ｍａｉｌの送信元のアドレスが携帯電話機１０の電話帳情報として登録済みかどうかを照会する（ステップＨ２）。
【００９６】
アドレスが登録済みである場合（ステップＨ３のＹｅｓ）、電話帳管理サーバ３０は、メールサーバ５０及び交換機４０を介して、この送信元のアドレスに対応するメモリ番号を携帯電話機１０に送信する（ステップＨ４）。携帯電話機１０は、受信したメモリ番号にもとづきメモリ１１を検索し、対応する登録名称を表示部１５に出力するとともに、着信アラームを音声出力部１７に出力する（ステップＨ５）。
【００９７】
アドレスが未登録である場合（ステップＨ３のＮｏ）、携帯電話機１０は、送信元のアドレスをそのまま表示部１５に出力するとともに、着信アラームを音声出力部１７に出力する（ステップＨ６）。そして、携帯電話機１０は、送信元のアドレスを登録するかどうかについての問い合わせを表示して、回答入力を待つ（ステップＨ７）。登録する場合は（ステップＨ７のＹｅｓ）、（１）において上述した電話帳情報の新規登録手順にしたがって登録を行い（ステップＨ８）、登録しない場合は（ステップＧ７のＮｏ）、終了する。
【００９８】
次に、Ｅ−ｍａｉｌの着信処理手順について、図２４を参照して説明する。
まず、交換機４０は、携帯電話機１０宛のＥ−ｍａｉｌの着信を感知すると（ステップ１３０）、このＥ−ｍａｉｌの全てのパケットをメールサーバ５０に送信する（ステップ１３１）。
メールサーバ５０は、Ｅ−ｍａｉｌの受信を完了すると、このＥ−ｍａｉｌの送信元のアドレスが、携帯電話機１０の電話帳情報として登録されているかどうかを確認するための問い合わせ情報を、電話帳管理サーバ３０に送信する（ステップ１３２）。この問い合わせ情報は、送信元のアドレスと携帯電話機１０宛のＥ−ｍａｉｌアドレスを有している。電話帳管理サーバ３０は、携帯電話機１０のＥ−ｍａｉｌアドレスにもとづいて、携帯電話機１０の電話帳情報を特定する。このため、電話帳管理サーバ３０において、携帯電話機１０のＥ−ｍａｉｌアドレスと識別コードの対応テーブルなどを保有させておくことが好ましい。
【００９９】
電話帳管理サーバ３０は、受信した問い合わせ情報にもとづいて、メモリ３１を検索し、携帯電話機１０の電話帳情報に送信元のアドレスが登録されているかどうかを確認する（ステップ１３３）。そして、この検索結果と、登録されている場合には、送信元のアドレスに対応するメモリ番号を交換機４０に送信する（ステップ１３４）。
【０１００】
送信元のアドレスが登録されている場合（ステップ１３５の有）、メールサーバ５０は、送信元のアドレスに対応するメモリ番号とＥ−ｍａｉｌを携帯電話機１０に送信する（ステップ１３６）。携帯電話機１０は、受信したメモリ番号にもとづきメモリ１１を検索して対応する登録名称を取得し（ステップ１３７）、これを表示部１５に出力するとともに、着信アラームを音声出力部１７に出力する（ステップ１３８）。これによって、Ｅ−ｍａｉｌの表示処理を行うことが可能となる（ステップ１３９）。
【０１０１】
送信元のアドレスが登録されていない場合（ステップ１３５の無）、交換機４０は、送信元のアドレスとＥ−ｍａｉｌを携帯電話機１０に送信し（ステップ１４０）、携帯電話機１０は、送信元のアドレスを携帯電話機１０の表示部１５に出力するとともに、着信アラームを音声出力部１７に出力する（ステップ１４１）。これによって、この場合も、Ｅ−ｍａｉｌの表示処理を行うことが可能となる（ステップ１４２）。
また、携帯電話機１０は、この送信元のアドレスを電話帳情報として登録するかどうかの問い合わせを表示し、回答入力を待つ（ステップ１４３）。そして、登録するとの回答入力があると（ステップ１４４のＹｅｓ）、携帯電話機１０は、図８に示すステップ１０〜ステップ１５と同様にして、電話帳情報の新規登録処理を実行する（ステップ１４５）。登録しないとの回答入力があると（ステップ１４４のＮｏ）、携帯電話機１０は、処理を終了する。
【０１０２】
［第二実施形態］
次に、本発明の第二実施形態について、図２５を参照して説明する。同図は、本実施形態の電話帳保存システムにおける携帯電話機のメモリのデータ構成を示すブロック図である。
本実施形態は、携帯電話機１０において、電話番号やＥ−ｍａｉｌアドレスについての格納メモリを全く保有しないのではなく、原則としてこれを電話帳管理サーバ３０において管理する一方、少量の電話番号等についてのみ携帯電話機１０に格納可能とする点で第一実施形態と異なる。その他の点については、第一実施形態と同様である。
【０１０３】
すなわち、図２５に示すように、本実施形態の携帯電話機１０におけるメモリ１１は、登録名称及びメモリ番号を格納する記憶領域の他に、メモリ番号と対応する電話番号やＥ−ｍａｉｌアドレス等のデータを格納する少量の領域を備えている。登録可能件数としては、例えば１０件や２０件前後とすることが好ましい。
本実施形態の電話帳保存システムをこのような構成とすれば、電話帳情報の本体を電話帳管理サーバ３０において管理した上で、頻繁に電話等を行う少数の電話番号についてのみ、携帯電話機に保有させておくことができ、これらの番号についての電話の発信や、Ｅ−ｍａｉｌの送信時間を短縮することが可能となる。
【０１０４】
なお、本発明は以上の実施形態に限定されるものではなく、本発明の範囲内において、種々の変更実施が可能であることは言うまでもない。
例えば、本発明の電話帳保存システムを、ＰＨＳなど、他の移動体通信システムに適用するなど適宜変更することが可能である。
【図面の簡単な説明】
【０１０５】
【図１】本発明の第一実施形態の電話帳保存システムの構成を示すブロック図である。
【図２】本発明の第一実施形態の電話帳保存システムにおける携帯電話機の構成を示すブロック図である。
【図３】本発明の第一実施形態の電話帳保存システムにおける携帯電話機のメモリのデータ構成を示すブロック図である。
【図４】本発明の第一実施形態の電話帳保存システムにおける電話帳管理サーバの構成を示すブロック図である。
【図５】本発明の第一実施形態の電話帳保存システムにおける電話帳管理サーバのメモリのデータ構成（１）を示すブロック図である。
【図６】本発明の第一実施形態の電話帳保存システムにおける電話帳管理サーバのメモリのデータ構成（２）を示すブロック図である。
【図７】本発明の第一実施形態の電話帳保存システムにおける新規登録の手順を示すフローチャートである。
【図８】本発明の第一実施形態の電話帳保存システムにおける携帯電話機による新規登録処理手順を示すフローチャートである。
【図９】本発明の第一実施形態の電話帳保存システムにおけるパーソナルコンピュータによる新規登録処理手順（１）を示すフローチャートである。
【図１０】本発明の第一実施形態の電話帳保存システムにおけるパーソナルコンピュータによる新規登録処理手順（２）を示すフローチャートである。
【図１１】本発明の第一実施形態の電話帳保存システムにおける電話帳情報の参照の手順を示すフローチャートである。
【図１２】本発明の第一実施形態の電話帳保存システムにおける電話帳情報の参照処理手順を示すフローチャートである。
【図１３】本発明の第一実施形態の電話帳保存システムにおける電話帳情報の更新の手順を示すフローチャートである。
【図１４】本発明の第一実施形態の電話帳保存システムにおける携帯電話機による電話帳情報の更新処理手順を示すフローチャートである。
【図１５】本発明の第一実施形態の電話帳保存システムにおける発信の手順（１）を示すフローチャートである。
【図１６】本発明の第一実施形態の電話帳保存システムにおける発信処理手順（１）を示すフローチャートである。
【図１７】本発明の第一実施形態の電話帳保存システムにおける発信の手順（２）を示すフローチャートである。
【図１８】本発明の第一実施形態の電話帳保存システムにおける発信処理手順（２）を示すフローチャートである。
【図１９】本発明の第一実施形態の電話帳保存システムにおける電子メールの送信手順を示すフローチャートである。
【図２０】本発明の第一実施形態の電話帳保存システムにおける電子メールの送信処理手順を示すフローチャートである。
【図２１】本発明の第一実施形態の電話帳保存システムにおける着信の手順を示すフローチャートである。
【図２２】本発明の第一実施形態の電話帳保存システムにおける着信処理手順を示すフローチャートである。
【図２３】本発明の第一実施形態の電話帳保存システムにおける電子メールの着信手順を示すフローチャートである。
【図２４】本発明の第一実施形態の電話帳保存システムにおける電子メールの着信処理手順を示すフローチャートである。
【図２５】本発明の第二実施形態の電話帳保存システムにおける携帯電話機のメモリのデータ構成を示すブロック図である。
【符号の説明】
【０１０６】
１０  携帯電話機
１１  メモリ
１２  処理部
１３  入力部
１４  送受信部
１５  表示部
１６  音声入力部
１７  音声出力部
２０  携帯電話機
２１  メモリ
３０  電話帳管理サーバ
３１  メモリ
３２  処理部
３３  送受信部
４０  交換機
５０  メールサーバ
６０，７０  基地局
８０  パーソナルコンピュータ
９１，９２  専用回線
１００  インターネット
【図１】
2005311552.tif 000003
【図２】
2005311552.tif 000004
【図３】
2005311552.tif 000005
【図４】
2005311552.tif 000006
【図５】
2005311552.tif 000007
【図６】
2005311552.tif 000008
【図７】
2005311552.tif 000009
【図８】
2005311552.tif 000010
【図９】
2005311552.tif 000011
【図１０】
2005311552.tif 000012
【図１１】
2005311552.tif 000013
【図１２】
2005311552.tif 000014
【図１３】
2005311552.tif 000015
【図１４】
2005311552.tif 000016
【図１５】
2005311552.tif 000017
【図１６】
2005311552.tif 000018
【図１７】
2005311552.tif 000019
【図１８】
2005311552.tif 000020
【図１９】
2005311552.tif 000021
【図２０】
2005311552.tif 000022
【図２１】
2005311552.tif 000023
【図２２】
2005311552.tif 000024
【図２３】
2005311552.tif 000025
【図２４】
2005311552.tif 000026
【図２５】
2005311552.tif 000027